(57)【特許請求の範囲】
【請求項１】
動物の健康モニタリングシステムであって、
伴侶動物によって装着されるように設計された首輪と、
前記首輪の中に統合されたループアンテナと、
前記首輪の中に統合されかつ前記アンテナに接続された電子アセンブリと、
前記伴侶動物内に埋め込まれた受動ＲＦＩＤマイクロチップと
を備え、
前記ループアンテナは、前記首輪内に円周方向に埋設され、前記ループアンテナのインダクタンスは、前記首輪の幾何学的形状に依存し、
前記電子アセンブリは、
マイクロプロセッサと、
前記マイクロプロセッサに接続された電源と、
ＲＦ送受信機およびＲＦＩＤ送受信機を備える送受信機と
を備え、
前記受動ＲＦＩＤマイクロチップは、
識別データを記憶するメモリと、
前記伴侶動物の体温を測定する体温センサと
を備え、
前記電子アセンブリは、
前記受動ＲＦＩＤマイクロチップに誘導給電するように前記ループアンテナに磁場を放出させるための信号を送信することによって前記受動ＲＦＩＤマイクロチップをアクティブ化することと、
前記ＲＦＩＤ送受信機を使用して、前記受動ＲＦＩＤマイクロチップに照会し、識別データおよび体温データを得ることと、
前記ＲＦ送受信機を介して前記識別データおよび前記体温データを伝送することと
を行い、
前記電子アセンブリおよび前記アンテナがマイクロチップスキャナを構成し、
前記受動ＲＦＩＤマイクロチップの励起周波数は固定されており、前記マイクロプロセッサは、前記マイクロチップを読み取るときに前記ループアンテナのインダクタンスに基づいて前記ＲＦＩＤ送受信機の共振キャパシタンスを調節するように構成されている、動物の健康モニタリングシステム。
【請求項２】
前記電源は、バッテリを備える、請求項１に記載の動物の健康モニタリングシステム。
【請求項３】
前記電子アセンブリは、前記識別データおよび前記体温データを携帯電話に伝送する、請求項１に記載の動物の健康モニタリングシステム。
【請求項４】
前記電子アセンブリは、前記携帯電話から受信された要求に応答して、前記識別データおよび前記体温データを伝送する、請求項３に記載の動物の健康モニタリングシステム。
【請求項５】
前記電子アセンブリは、所定のスケジュールに基づいて、前記識別データおよび前記体温データを伝送する、請求項３に記載の動物の健康モニタリングシステム。
【請求項６】
前記電子アセンブリはさらに、前記ＲＦＩＤ送受信機を使用して前記受動ＲＦＩＤマイクロチップに照会するための周波数に基づいて、前記ループアンテナの共振キャパシタンスを動的に調節する、請求項１に記載の動物の健康モニタリングシステム。
【請求項７】
前記電子アセンブリはさらに、メモリを備え、前記電子アセンブリは、前記メモリを使用して、前記得られたデータを記憶する、請求項１に記載の動物の健康モニタリングシステム。
【請求項８】
前記電子アセンブリはさらに、時間データを判定することが可能であるリアルタイムクロックを備える、請求項１に記載の動物の健康モニタリングシステム。
【請求項９】
前記電子アセンブリはさらに、
前記リアルタイムクロックを使用して時間データを得ることと、
前記時間データを伝送することと
を行う、請求項８に記載の動物の健康モニタリングシステム。
【請求項１０】
前記電子アセンブリはさらに、前記リアルタイムクロックを使用して得られた前記時間データに基づいて、前記データを伝送する、請求項８に記載の動物の健康モニタリングシステム。
【請求項１１】
前記電子アセンブリは、前記動物によって装着される前記首輪の中に統合される、請求項１に記載の動物の健康モニタリングシステム。
【請求項１２】
前記電子アセンブリはさらに、場所データを生成することが可能である全地球測位システム（ＧＰＳ）受信機を備え、前記電子アセンブリはさらに、前記場所データを伝送する、請求項１に記載の動物の健康モニタリングシステム。
【請求項１３】
前記電子アセンブリはさらに、環境温度センサを備え、
前記電子アセンブリはさらに、
前記環境温度センサを使用して、環境温度データを得ることと、
前記環境温度データを伝送することと
を行う、請求項１に記載の動物の健康モニタリングシステム。
【請求項１４】
前記電子アセンブリは、前記アンテナに接続するコネクタを備える、請求項１に記載の動物の健康モニタリングシステム。
【請求項１５】
前記アンテナは、フェライトコアソレノイド形態のアンテナを備える、請求項１に記載の動物の健康モニタリングシステム。
【請求項１６】
前記受動ＲＦＩＤマイクロチップは、前記首輪が前記伴侶動物に嵌められると、前記受動ＲＦＩＤマイクロチップが前記アンテナからの閾値距離内に位置するように、前記動物内に埋め込まれている、請求項１に記載の動物の健康モニタリングシステム。
【請求項１７】
前記電子アセンブリは、Ｂｌｕｅｔｏｏｔｈ（登録商標）接続を使用して、前記データを伝送する、請求項１に記載の動物の健康モニタリングシステム。
【請求項１８】
前記電子アセンブリは、セルラー接続を使用して、前記データを伝送する、請求項１に記載の動物の健康モニタリングシステム。
【発明の詳細な説明】
【技術分野】
【０００１】
（発明の分野）
本発明は、無線周波数識別の使用に関し、具体的には、動物の健康および福祉を査定する目的のために動物の生理学的データの遠隔モニタリングに適用される短距離無線周波数通信に関する。
【背景技術】
【０００２】
（背景）
無線周波数識別（ＲＦＩＤ）は、約３０年にわたって動物識別用途において展開されている、確立された技術である。当初は、行方不明の動物の救助手段として奨励されていたが、ＲＦＩＤは、より最近では、動物の健康保険製品と関連付けられた識別の手段として奨励されている。マイクロチップ技術におけるより最近の進歩として、トランスポンダ内への体温センサ等の生理学的センサの含有がもたらされている。そのようなデバイスの典型は、Ｄｅｓｔｒｏｎ−Ｆｅａｒｉｎｇ  Ｃｏｒｐｏｒａｔｉｏｎ（Ｅａｇａｎ，ＭＮ）製のＤｅｓｔｒｏｎ  ＢｉｏＴｈｅｒｍｏ（登録商標）トランスポンダである。
【発明の概要】
【課題を解決するための手段】
【０００３】
（発明の要約）
伴侶動物の健康モニタリングのためのシステムおよび方法が、説明される。一実施形態では、動物の健康モニタリングシステムは、伴侶動物上に位置している電子アセンブリであって、マイクロプロセッサと、マイクロプロセッサに接続される電源と、送受信機とを含む、電子アセンブリと、伴侶動物内に埋め込まれたマイクロチップであって、識別データを記憶するメモリと、伴侶動物の体温を測定する体温センサとを含む、マイクロチップとを含み、電子アセンブリは、マイクロチップに照会し、識別データおよび体温データを得て、識別データおよび体温データを伝送する。
【０００４】
本発明の別の実施形態では、電源は、バッテリを含む。
【０００５】
本発明の付加的実施形態では、電子アセンブリは、識別データおよび体温データを携帯電話に伝送する。
【０００６】
本発明のさらに別の付加的実施形態では、電子アセンブリは、携帯電話から受信された要求に応答して、識別データおよび体温データを伝送する。
【０００７】
本発明のなおも別の付加的実施形態では、電子アセンブリは、所定のスケジュールに基づいて、識別データおよび体温データを伝送する。
【０００８】
本発明のなおもさらに別の付加的実施形態では、電子アセンブリはさらに、ＲＦＩＤ送受信機を含み、電子アセンブリは、ＲＦＩＤ送受信機を使用して、マイクロチップに照会する。
【０００９】
本発明のさらに別の実施形態では、電子アセンブリは、ＲＦＩＤ送受信機を使用してマイクロチップに照会するための周波数に基づいて、アンテナの共振キャパシタンスを動的に調節する。
【００１０】
本発明のなおも別の実施形態では、電子アセンブリはさらに、メモリを含み、電子アセンブリは、メモリを使用して、得られたデータを記憶する。
【００１１】
本発明のなおもさらに別の実施形態では、電子アセンブリはさらに、時間データを判定することが可能であるリアルタイムクロックを含む。
【００１２】
本発明のさらに別の付加的実施形態では、電子アセンブリはさらに、リアルタイムクロックを使用して時間データを得て、時間データを伝送する。
【００１３】
本発明のなおも別の付加的実施形態では、電子アセンブリはさらに、リアルタイムクロックを使用して得られた時間データに基づいて、データを伝送する。
【００１４】
本発明のなおもさらに別の付加的実施形態では、電子アセンブリは、動物によって装着される首輪の中に統合される。
【００１５】
本発明のさらに別の実施形態では、電子アセンブリはさらに、場所データを生成することが可能である全地球測位システム（ＧＰＳ）受信機を含み、電子アセンブリはさらに、場所データを伝送する。
【００１６】
本発明のなおも別の実施形態では、電子アセンブリはさらに、環境温度センサを含み、電子アセンブリはさらに、環境温度センサを使用して、環境温度データを得て、環境温度データを伝送する。
【００１７】
本発明のなおもさらに別の実施形態では、電子アセンブリはさらに、アンテナに接続される。
【００１８】
本発明のさらに別の付加的実施形態では、アンテナは、伴侶動物によって装着される首輪の中に統合され、電子アセンブリは、アンテナに接続する、コネクタを含む。
【００１９】
本発明のなおも別の付加的実施形態では、アンテナは、フェライトコアソレノイド形態のアンテナを含む。
【００２０】
本発明のなおもさらに別の付加的実施形態では、マイクロチップは、首輪が伴侶動物に嵌められると、マイクロチップがアンテナからの閾値距離内に位置するように、動物内に埋め込まれる。
【００２１】
本発明のさらに別の実施形態では、電子アセンブリは、Ｂｌｕｅｔｏｏｔｈ（登録商標）接続を使用して、データを伝送する。
【００２２】
本発明のなおも別の実施形態では、電子アセンブリは、セルラー接続を使用して、データを伝送する。
本明細書は、例えば、以下の項目も提供する。
（項目１）
動物の健康モニタリングシステムであって、
伴侶動物上に位置している電子アセンブリであって、
マイクロプロセッサと、
前記マイクロプロセッサに接続された電源と、
送受信機と
を備える、電子アセンブリと、
前記伴侶動物内に埋め込まれたマイクロチップであって、
識別データを記憶するメモリと、
前記伴侶動物の体温を測定する体温センサと
を備える、マイクロチップと
を備え、
前記電子アセンブリは、
前記マイクロチップに照会し、識別データおよび体温データを得ることと、
前記識別データおよび前記体温データを伝送することと
を行う、動物の健康モニタリングシステム。
（項目２）
前記電源は、バッテリを備える、項目１に記載の動物の健康モニタリングシステム。
（項目３）
前記電子アセンブリは、前記識別データおよび前記体温データを携帯電話に伝送する、項目１に記載の動物の健康モニタリングシステム。
（項目４）
前記電子アセンブリは、前記携帯電話から受信された要求に応答して、前記識別データおよび前記体温データを伝送する、項目３に記載の動物の健康モニタリングシステム。
（項目５）
前記電子アセンブリは、所定のスケジュールに基づいて、前記識別データおよび前記体温データを伝送する、項目３に記載の動物の健康モニタリングシステム。
（項目６）
前記電子アセンブリはさらに、ＲＦＩＤ送受信機を備え、前記電子アセンブリは、前記ＲＦＩＤ送受信機を使用して、前記マイクロチップに照会する、項目１に記載の動物の健康モニタリングシステム。
（項目７）
前記電子アセンブリはさらに、前記ＲＦＩＤ送受信機を使用して前記マイクロチップに照会するための周波数に基づいて、アンテナの共振キャパシタンスを動的に調節する、項目６に記載の動物の健康モニタリングシステム。
（項目８）
前記電子アセンブリはさらに、メモリを備え、前記電子アセンブリは、前記メモリを使用して、前記得られたデータを記憶する、項目１に記載の動物の健康モニタリングシステム。
（項目９）
前記電子アセンブリはさらに、時間データを判定することが可能であるリアルタイムクロックを備える、項目１に記載の動物の健康モニタリングシステム。
（項目１０）
前記電子アセンブリはさらに、
前記リアルタイムクロックを使用して時間データを得ることと、
前記時間データを伝送することと
を行う、項目９に記載の動物の健康モニタリングシステム。
（項目１１）
前記電子アセンブリはさらに、前記リアルタイムクロックを使用して得られた前記時間データに基づいて、前記データを伝送する、項目９に記載の動物の健康モニタリングシステム。
（項目１２）
前記電子アセンブリは、前記動物によって装着される首輪の中に統合される、項目１に記載の動物の健康モニタリングシステム。
（項目１３）
前記電子アセンブリはさらに、場所データを生成することが可能である全地球測位システム（ＧＰＳ）受信機を備え、前記電子アセンブリはさらに、前記場所データを伝送する、項目１に記載の動物の健康モニタリングシステム。
（項目１４）
前記電子アセンブリはさらに、環境温度センサを備え、
前記電子アセンブリはさらに、
前記環境温度センサを使用して、環境温度データを得ることと、
前記環境温度データを伝送することと
を行う、項目１に記載の動物の健康モニタリングシステム。
（項目１５）
前記電子アセンブリはさらに、アンテナに接続されている、項目１に記載の動物の健康モニタリングシステム。
（項目１６）
前記アンテナは、前記伴侶動物によって装着される首輪の中に統合され、前記電子アセンブリは、前記アンテナに接続するコネクタを備える、項目１５に記載の動物の健康モニタリングシステム。
（項目１７）
前記アンテナは、フェライトコアソレノイド形態のアンテナを備える、項目１５に記載の動物の健康モニタリングシステム。
（項目１８）
前記マイクロチップは、前記首輪が前記伴侶動物に嵌められると、前記マイクロチップが前記アンテナからの閾値距離内に位置するように、前記動物内に埋め込まれている、項目１５に記載の動物の健康モニタリングシステム。
（項目１９）
前記電子アセンブリは、Ｂｌｕｅｔｏｏｔｈ（登録商標）接続を使用して、前記データを伝送する、項目１に記載の動物の健康モニタリングシステム。
（項目２０）
前記電子アセンブリは、セルラー接続を使用して、前記データを伝送する、項目１に記載の動物の健康モニタリングシステム。
【図面の簡単な説明】
【００２３】
【図１】図１は、本発明のある実施形態による、典型的伴侶動物の実施例の概念的例証である。
【図２】図２は、本発明のある実施形態による、電子アセンブリのコンテンツの概念的例証である。
【図３】図３は、本発明のある実施形態による、データを読み取り、伝送するためのプロセスを図示する、フロー図である。
【図４】図４は、本発明のある実施形態による、首輪の概念的例証である。
【発明を実施するための形態】
【００２４】
（発明の詳細な説明）
ここで図面に目を向けると、伴侶動物の健康モニタリングのためのシステムおよび方法が、開示される。そのような伴侶動物識別システムは、中空丸針を使用して容易かつ迅速に埋め込まれる、典型的には、長さ１２ｍｍ×直径２ｍｍの小型のガラス製のカプセル化された受動トランスポンダ（「マイクロチップ」）を含むことができる。マイクロチップは、アクティブ化され、リーダデバイスによって、その内部に記憶された一意の識別コードに関して走査されることができる。体温を感知するマイクロチップは、従来の識別マイクロチップと物理的に同じであり、体温センサを含むことができる。マイクロチップは、アクティブ化されると、自動的に、またはマイクロチップを読み取るために利用される走査ツールに応答してのいずれかにおいて、識別および体温データを伝送することができる。識別および体温走査は、動物の健康ケアの専門家に有用であり、また、動物の健康および福祉をモニタリングするための手段として、ペット所有者にも有益であり得る。
【００２５】
伴侶動物の健康モニタリングシステム
図１は、本発明を説明する目的のために、イヌ１０１であって、以降、「Ｒｏｓｃｏｅ」と称される、典型的伴侶動物の実施例を図示する。Ｒｏｓｃｏｅは、その身体内に、好ましくは、その肩甲骨（貝殻骨）の中間である場所において、移動に抵抗するであろう皮下組織の奥深くに注入されている、体温を感知するマイクロチップ１０２を保有している。Ｒｏｓｃｏｅはまた、識別および体温データをマイクロチップから周期的に捕捉する目的のためにマイクロチップスキャナを装備し得る、首輪１０３を保有する。具体的には、ともにマイクロチップスキャナを構成する、走査アンテナ１０５および電子アセンブリ１０４が、首輪１０３上に搭載されることができる。アンテナ１０５および電子アセンブリ１０４は、従来の犬用首輪に取り付けられ得るが、本ケーブルが一体的に構築され、それによって保護される、カスタム首輪が、好ましい。例えば、ケーブルは、首輪の材料の中に縫着および／または成形されることができる。しかしながら、ワイヤレス接続を含む、アンテナおよび電子アセンブリを接続するための任意の種々の構造が、本発明の実施形態の具体的用途の要件に準拠して、利用されることができる。アンテナ１０５は、犬用首輪１０３内に円周方向に埋設される電気導体の多数の巻線を含む、ループアンテナとして構築されることができる。本タイプのアンテナは、取付目的のために、首輪が分離および継合されることを可能にする、電気コネクタ（図示せず）を含むことができる。いくつかの実施形態では、電子アセンブリ１０４は、アンテナ１０５に接続するために使用され得る、変圧器（図示せず）を含む。このように、単純コネクタが、アンテナに接続するために利用されることができる。いくつかの実施形態では、電子アセンブリ１０４は、アンテナ１０５に誘導結合される。本配列は、単一電子アセンブリがいくつかの代替首輪サイズまたは設計のいずれかと対合され得るように、首輪および電子アセンブリが別個の物理的パッケージであることを可能にすることができる。アンテナ１０５のための好ましい実施形態は、埋め込まれたマイクロチップ１０２の近傍の首輪１０３の上部に位置する、フェライトコアソレノイド形態のアンテナを含む。電子アセンブリ１０４の物理的重量は、アンテナの位置をマイクロチップ１０２の近傍に維持することができる。多くの実施形態では、電子アセンブリ１０４は、本発明の実施形態の具体的用途の要件に準拠して、ボタン、スナップ、マジックテープ（登録商標）締結具、または任意の他のコネクタ等の種々のコネクタのいずれかを介して、首輪１０３に取り付けられる。いくつかの実施形態では、首輪１０３は、アンテナにかかる歪みを低減させるために利用され得る、歪み緩和デバイスを含む。
【００２６】
いくつかの実施形態では、首輪１０３は、自動的に、伴侶動物のサイズにそれ自体をサイズ調整するように設計される。首輪は、本発明の実施形態の具体的用途の要件に準拠して、弾性材料から製造される、および／または過剰首輪材料を巻き取るためのリールを含むことができる。加えて、ハーネスは、多くの場合、首輪より安定し、伴侶動物の頭部と前足のすぐ後との間に位置する傾向にある。種々の実施形態では、首輪１０３は、ハーネスをＲｏｓｃｏｅに固着させるために取り付けられ得る、種々の材料のストラップ、バンド、および／または他のパネルを含む、ハーネスである。電子アセンブリ１０４は、次いで、標準的首輪を用いて可能であるものより埋め込まれたマイクロチップに近接する場所を含む、ハーネス上の任意の場所に取り付けられることができる。
【００２７】
ここで図４に目を向けると、伴侶動物によって装着され得る、首輪の概念的例証が、示される。首輪アセンブリ４００は、首輪ストラップ４０１を含む。種々の実施形態では、首輪ストラップ４０１は、埋設されたアンテナを含有する。電子アセンブリ４０２は、首輪ストラップに取り付けられ、レセプタクル４０４を含むことができる。首輪ストラップはさらに、レセプタクル４０４と噛合され、埋設されたアンテナを電子アセンブリに接続し得る、埋設されたアンテナに接続される、コネクタプラグ４０３を含む。アンテナ、コネクタプラグ、および／またはレセプタクルは、本発明の実施形態の具体的用途の要件に準拠して、単一導体および／または多重導体であることができる。さらに、コネクタプラグとレセプタクルとの間の接続は、本発明の実施形態の具体的用途の要件に準拠して、直接および／または誘導接続等のワイヤレスであることができる。多くの実施形態では、レセプタクル４０４は、コネクタプラグ４０３に接続されると、首輪ストラップ４０１内に埋設された多重巻線アンテナを完成する、多極コネクタを含む。
【００２８】
図１に戻ると、電子アセンブリ１０４は、以下に詳細に説明される機能を果たす構成要素および回路を含有する、密閉シールされたエンクロージャ内に含有されることができる。電子アセンブリ１０４は、周期的に、自己アクティブ化し、識別および体温データをマイクロチップ１０２から捕捉し、互換性のあるワイヤレス無線およびユーザアプリケーションを装備する、スマートフォン１０６等の近傍デバイスに本情報をワイヤレス１０７で伝達することができる。自己アクティブ化時間周期は、本発明の実施形態の具体的用途の要件に準拠して、所定のおよび／または動的に判定されることができる。電子アセンブリ１０４とスマートフォンデバイス１０６との間のワイヤレス接続１０７は、好ましくは、Ｂｌｕｅｔｏｏｔｈ（登録商標）技術の短距離無線を含むが、代替として、Ｗｉ−Ｆｉ接続、近距離通信（ＮＦＣ）無線、携帯電話接続、（ＳＭＳ、例えば、「テキストメッセージ」）、または当業者に公知のいくつかの他のワイヤレス無線選択肢のいずれかを含み得る。加えて、種々の実施形態は、電子アセンブリを使用してデータを伝送するための有線接続を含むことに留意されたい。
【００２９】
伴侶動物の健康モニタリングシステムの具体的実施例は、図１に関して説明され、首輪の具体的実施例は、図４に関して説明されるが、犬以外の動物と併用されるもの、および動物に関するバイオメトリックデータを判定するための代替センサを利用するものを含む、種々のシステムのいずれかが、本発明の実施形態に従って利用されることができる。
【００３０】
電子アセンブリ
ここで図２に目を向けると、電子アセンブリ２０１のコンテンツの概念的例証が、示される。本電子アセンブリ２０１は、バッテリ２０３から給電されることができ、マイクロチップ２０２を走査するときと、識別および体温データを伝送するときとを除き、主に、非常に低電力を消費する休止状態のままであるように設計される。しかしながら、コンデンサおよびエネルギー回収デバイスを含む、任意の電源が、本発明の実施形態の具体的用途の要件に準拠して、利用されることができることに留意されたい。伴侶動物、首輪の動き、太陽熱、動物によって発生される熱、誘導充電コイル、および任意の他のエネルギー源に基づいてエネルギーを発生させるデバイス等の任意の形態のエネルギー回収デバイスが、本発明の実施形態の具体的用途の要件に準拠して、利用されることができる。特に、誘導充電コイルは、電子アセンブリ２０１を含有する密閉シールされた筐体内に含まれることができる。これらの密閉シールされた筐体は、電子アセンブリ２０１が種々の動物において利用される保護施設等の種々の環境において有利であり得る。種々の実施形態では、誘導充電コイルは、ＲＦアンテナ２０４を含むが、誘導充電コイルは、本発明の実施形態の具体的用途の要件に準拠して、別個のアンテナを含むことができる。加えて、エネルギー回収デバイスは、本発明の実施形態の具体的用途の要件に準拠して、伴侶動物の首輪上等の電子アセンブリ２０１の外部に位置し、有線および／またはワイヤレス接続を介して電子アセンブリに接続されることができる。
【００３１】
マイクロコントローラ２０６は、電子アセンブリ２０１の機能および挙動を監視するように（例えば、ファームウェアコードを用いて）プログラムされることができる。これらの機能は、限定ではないが、リアルタイムクロック／カレンダ（ＲＴＣＣ）２１０、環境温度センサ２０９、メモリ２０７、無線周波数（ＲＦ）送受信機２０８、ＲＦアンテナ２０４、およびＲＦＩＤ送受信機２１１を含む、種々のセンサおよびデバイスのいずれかを使用して、種々のデータを測定および／または記録することを含む。マイクロコントローラ２０６は、ユーザアプリケーションを実行する走査ツールおよびスマートフォン等のいくつかのデバイスを使用して、１時間に１回、５分毎、１日２回、またはユーザが着目する任意の間隔等、周期的間隔でデータに関してマイクロチップ２０２を走査するようにプログラムされることができる。マイクロコントローラ２０６は、本発明の実施形態の具体的用途の要件に準拠して、需要に応じて、および／または定義された間隔の間、その通常の休止状態から脱し、データ報告に関する機能を実行することができる。
【００３２】
電子アセンブリを使用してデータを測定および提供するためのプロセスが、図３に示される。プロセス３００は、電子アセンブリをアクティブ化し（３１０）、マイクロチップデータを読み取り（３１２）、多くの実施形態では、データを記憶する（３１４）ことを含む。データは、伝送され（３１６）、いくつかの実施形態では、電子アセンブリおよび／またはマイクロチップは、低電力状態に入る（３１８）。しかしながら、種々のプロセスのいずれかが、本発明の実施形態の具体的用途の要件に準拠して、動物に関するデータを得て、伝送するために利用されることができる。
【００３３】
例えば、ウェークアップに応じて、マイクロコントローラ２０６は、ＲＦＩＤ送受信機２１１をアクティブ化し、これは、接続ケーブル２１３を介して、アクティブ化信号をＲＦＩＤアンテナ２０５に送信する。本アクティブ化信号は、ＲＦＩＤアンテナ２０５に磁場２１２を放出させ、これは、順に、マイクロチップ２０２に誘導給電する。いくつかの実施形態では、マイクロチップ２０２のための動作周波数は、１２０ＫＨｚ〜１５０ＫＨｚであり、１３４．２ＫＨｚが、一般に利用されるが、任意の周波数が、本発明の実施形態の具体的用途の要件に準拠して、利用されることができる。多くの実施形態では、マイクロコントローラは、本発明の実施形態の具体的用途の要件に準拠して、種々のＲＦＩＤ自動同調技法のいずれかを利用して、マイクロチップとの通信のための周波数を自動的に識別する。いくつかの実施形態では、自動周波数識別は、マイクロチップを読み取るマイクロコントローラに電力を供給し、供給電力をモニタリングし、モニタリングされた供給電力に関連するデータを記憶し、信号をアンテナから放出し、そのような信号の高調波成分をフィルタ処理し、位相信号をプロセッサに出力し、位相信号およびモニタリングされた電流に基づいてコンデンサを調節することによって、行われることができる。本発明の実施形態に従って利用され得る、種々の自動同調リーダは、「Ａｕｔｏｍａｔｉｃ  Ｔｕｎｉｎｇ  Ｒｅａｄｅｒ」と題され、２０１２年７月１０日に登録された米国特許第８，２１９，０５３号において開示されており、その開示は、参照することによってその全体として本明細書に援用される。いくつかの実施形態では、マイクロチップ２０２の読取周波数（すなわち、励起周波数）は、固定され、マイクロコントローラ２０６は、マイクロチップ２０２を読み取る正確な瞬間における首輪の幾何学形状に依存する、アンテナインダクタンスに基づいて、共振キャパシタンスを調節する。種々の実施形態では、マイクロコントローラは、アンテナインダクタンスおよび／またはアンテナの共振から逸脱をモニタリングし、アンテナを共振周波数により近づけるように、同調コンデンサを調節し、それによって、マイクロチップ２０２の読取距離および読取信頼性を改善する。多くの実施形態では、電子アセンブリスイッチコンデンサは、アンテナ回路内外にあり、マイクロチップ信号の位相、振幅、または電力消費の査定に基づいて、共振への同調を最適化する。
【００３４】
マイクロチップ２０２は、ＲＦＩＤアンテナ２０５、接続ケーブル２１３、およびＲＦＩＤ送受信機２１１を介して、信号をマイクロコントローラに返し、信号は、識別および／または体温データを含む。マイクロコントローラ２０６は、マイクロチップ２０２から取得された識別および体温データと、ＲＴＣＣ２１０から取得された現在の時間および日付情報と、体温センサ２０９から取得された局所環境温度データとから成る、データ記録を作成し、本複合データ記録をメモリ２０７内に記憶する。マイクロコントローラ２０６は、次いで、ＲＦ送信機２０８をアクティブ化し、ＲＦアンテナ２０４を使用して、遠隔デバイス（例えば、スマートフォンまたは走査ツール）と接続を確立する。いったん本接続が確立されると、マイクロコントローラ２０６は、メモリ２０７内に記憶された捕捉データを伝送する。以前に伝送されたものとして示されていない他の記憶されたデータもまた、本発明の実施形態の具体的用途の要件に準拠して、送信されることができる。いったんデータ記録伝達が生じ、確認されると、マイクロコントローラ２０６は、電子アセンブリ２０１を低電力休止状態に置き、次のアクティブ化イベントまでのカウントダウンを待機する。データは、本発明の実施形態の具体的用途の要件に準拠して、基地局またはデータサーバシステム等の任意のデバイスに伝送されることができることに留意されたい。
【００３５】
識別および体温データを含むデータ記録を捕捉ならびに伝達することによって、複数の動物が、追跡およびモニタリングされることができる。電子アセンブリ２０１から送信される時間／日付および環境温度データは、ユーザアプリケーションアルゴリズムを介して、体温プロファイルを展開するために使用されることができ、これは、順に、動物の体温が正常またはユーザ規定体温範囲から逸脱すると、アラートをペット所有者に提供する。多くの実施形態では、本データは、自動車内に位置する基地局に伝送されることができ、車両内に残されている間の伴侶動物の状態を記述する。これは、夏の過熱および冬の低体温等、車両内の状態が伴侶動物にリスクを及ぼす場合、アラートが発生されることを可能にすることができる。
【００３６】
電子アセンブリ２０１はさらに、例えば、脈拍および活動（運動）等の他の動物特性および挙動のインジケーションを提供し得る、付加的生理学的センサを装備することができる。そのような生理学的センサもまた、マイクロチップ２０２の中に統合され、適切なデータがマイクロチップから得られ得る。加えて、電子アセンブリ２０１は、本発明の実施形態の具体的用途の要件に準拠して、遠隔制御から得られた入力に応答して動物に指示を提供する訓練用首輪、動物の場所に関する場所データを提供する全地球測位システム（ＧＰＳ）追跡ロケータ無線、および任意の他の電子機能等の他の電子機能と組み合わせてパッケージ化されることができる。多くの実施形態では、電子アセンブリは、限定ではないが、Ｂｌｕｅｔｏｏｔｈ（登録商標）低エネルギービーコン等の測位ビーコンと通信し得る、Ｂｌｕｅｔｏｏｔｈ（登録商標）送受信機等の無線周波数送受信機を含むことができる。電子アセンブリが、測位ビーコンの範囲内にあるとき、測位ビーコンに関する適切なデータ（本発明の実施形態の具体的用途の要件に準拠して、ビーコン識別子、時間データ、および／または別のデータ等）が、無線周波数送受信機を使用して受信され、電子アセンブリ２０１の場所を判定するために利用されることができる。
【００３７】
種々の実施形態では、これらのセンサは、電子アセンブリ２０１の外部に位置し、有線および／またはワイヤレス手段を介して、電子アセンブリ２０１と通信することができる。例えば、伴侶動物活動センサが、利用され、伴侶動物の活動を測定することができ、測定された活動データは、電子アセンブリ２０１に伝送されることができる。活動データは、本発明の実施形態の具体的用途の要件に準拠して、進行距離、方向情報、鳴吠活動（または伴侶動物の他の適切な雑音ベースの測定）、休息時の時間、心拍数、および任意の他のデータを含むことができる。
【００３８】
電子アセンブリの具体的実施例が、図２に関して説明されるが、動物に関するバイオメトリックデータを判定するための付加的センサを利用するものを含む、種々のシステムのいずれかが、本発明の実施形態に従って利用されることができる。
【００３９】
本発明は、ある具体的側面において説明されたが、多くの付加的修正および変形例が、当業者に明白となるであろう。特に、前述の種々のプロセスのいずれも、具体的用途の要件により適切である様式において、類似結果を達成するために、代替シーケンスにおいておよび／または並行して行われることができる（同一または異なるコンピューティングデバイス上で）。したがって、本発明は、本発明の範囲および精神から逸脱することなく、具体的に説明されたもの以外で実践されることができることを理解されたい。したがって、本発明の実施形態は、あらゆる観点において、制限ではなく、例証として見なされるべきである。故に、本発明の範囲は、図示される実施形態によってではなく、添付の請求項およびその均等物によって判定されるべきである。
【図１】
0006805434.tif 000002
【図２】
0006805434.tif 000003
【図３】
0006805434.tif 000004
【図４】
0006805434.tif 000005